(57)【要約】【課題】無線通信接続をデータの送信完了時以降に常に同じ条件で切断する構成に比べて、無線通信の利便性を向上させること。【解決手段】無線通信システム１は、携帯端末１０、ＭＦＰ２０、および、携帯端末１０とＭＦＰ２０との間で無線通信を実行するためのインターフェース２１，２２とを備え、携帯端末１０から、無線ＬＡＮインターフェース１２，２２を介して、データを、ＭＦＰ２０に送信し、その無線通信接続をデータの送信完了時以降に切断するための条件が互いに異なる複数の切断条件の中からいずれかを選択し、選択した切断条件を満たすかを判断し、満たすと判断した場合に、無線通信接続を切断する。【選択図】図２
2014068303.tif 000002
【特許請求の範囲】
【請求項１】
第１の通信装置と第２の通信装置とを備える無線通信システムであって、
前記第１の通信装置と前記第２の通信装置との間で無線通信を実行するためのインターフェース部と、を備え、
前記第１の通信装置から、前記インターフェース部を介して、データを、前記第２の通信装置に送信するデータ送信部と、
前記インターフェース部による無線通信接続を前記データの送信完了時以降に切断するための条件が互いに異なる複数の切断条件の中からいずれかを選択する条件選択部と、
前記条件選択部が選択した切断条件を満たすかを判断し、満たすと判断した場合に、前記無線通信接続を切断する通信切断部と、から構成される無線通信システム。
【請求項２】
請求項１に記載の無線通信システムであって、
前記第２の通信装置は、前記データに基づく処理を実行する処理実行部を有し、
前記複数の切断条件には、短期切断条件と、当該短期切断条件よりも前記データの送信完了時から切断するまでの時間が長い長期切断条件とが含まれ、
前記条件選択部は、前記データ、前記無線通信および前記第２の通信装置の少なくともいずれか１つに関する情報に基づき、前記データに基づく処理にエラーが発生する可能性の有無を判断し、前記エラーが発生する可能性が無いと判断した場合に前記短期切断条件を選択し、前記エラーが発生する可能性が有ると判断した場合に前記長期切断条件を選択する、無線通信システム。
【請求項３】
請求項１または２に記載の無線通信システムであって、
切断指示を受け付ける切断指示受付部と、
前記第２の通信装置において、前記データに基づく処理にエラーが発生した場合、解消可能なエラーが発生したか、解消不能なエラーが発生したかを判断するエラー判断部と、を備え、
前記複数の切断条件には、前記無線通信接続を、前記切断指示受付部が前記切断指示を受け付けるのを待って切断する待機切断条件と、前記無線通信接続を、前記切断指示受付部が前記切断指示を受け付けるのを待たずに切断する非待機切断条件とが含まれ、
前記条件選択部は、前記エラー判断部が解消可能なエラーと判断した場合、前記待機切断条件を選択し、前記解消不能なエラーと判断した場合、前記非待機切断条件を選択する、無線通信システム。
【請求項４】
請求項１から３のいずれか一項に記載の無線通信システムであって、
切断待機の有無および切断指示を受け付ける切断待機受付部を備え、
前記複数の切断条件には、前記無線通信接続を、前記切断待機受付部が前記切断指示を受け付けるのを待って切断する待機切断条件と、前記無線通信接続を、前記切断待機受付部が前記切断指示を受け付けるのを待たずに切断する非待機切断条件とが含まれ、
前記条件選択部は、前記切替待機受付部が前記切断待機有りを受け付けたか、前記切断待機無しを受け付けたかを判断し、前記切断待機有りを受け付けたと判断した場合に前記待機切断条件を選択し、前記切断待機無しを受け付けたと判断した場合に前記非待機切断条件を選択する、無線通信システム。
【請求項５】
請求項１から４のいずれか一項に記載の無線通信システムであって、
前記インターフェース部は、アクセスポイントを経由する間接無線通信と、アクセスポイントを経由しない直接無線通信とを実行可能であり、
前記複数の切断条件には、短期切断条件と、当該短期切断条件よりも前記データの送信完了時から切断するまでの時間が長い長期切断条件とが含まれ、
前記条件選択部は、前記データを前記間接無線通信で送信する場合に前記長期切断条件を選択し、前記データを前記直接無線通信で送信する場合に前記短期切断条件を選択する、無線通信システム。
【請求項６】
請求項１から５のいずれか一項に記載の無線通信システムであって、
前記インターフェース部である第１のインターフェース部と、
前記第１のインターフェース部よりも通信可能距離が短い第２のインターフェース部と、を備え、
前記第１の通信装置から、前記第２のインターフェース部を介して、前記第１のインターフェースによる無線通信の接続を確立するための設定情報を、前記第２の通信装置に送信し、前記第１のインターフェース部による無線通信の接続を確立する通信確立部を有する、無線通信システム。
【請求項７】
外部機器からデータを受信する無線通信装置であって、
外部機器との間で無線通信を実行するためのインターフェース部と、
制御部と、を備え、
前記制御部は、
前記通信装置から、前記インターフェース部を介して、データを受信するデータ受信処理と、
前記インターフェース部による無線通信接続を前記データの送信完了時以降に切断するための条件が互いに異なる複数の切断条件の中からいずれかを選択する条件選択処理と、
前記条件選択処理での選択結果に応じた情報を前記外部機器に送信する選択情報送信処理と、を実行する構成を有する無線通信装置。
【請求項８】
請求項７に記載の無線通信装置であって、
前記データに基づく処理を実行する処理実行部を有し、
前記複数の切断条件には、短期切断条件と、当該短期切断条件よりも前記データの送信完了時から切断するまでの時間が長い長期切断条件とが含まれ、
前記制御部は、
前記条件選択処理では、前記データ、前記無線通信および前記第２の通信装置の少なくともいずれか１つに関する情報に基づき、前記データに基づく処理にエラーが発生する可能性の有無を判断し、前記エラーが発生する可能性が無いと判断した場合に前記短期切断条件を選択し、前記エラーが発生する可能性が有ると判断した場合に前記長期切断条件を選択する、無線通信装置。
【請求項９】
請求項７または８に記載の無線通信装置であって、
切断指示を受け付ける切断指示受付部と、
前記複数の切断条件には、前記無線通信接続を、前記切断指示受付部が前記切断指示を受け付けるのを待って切断する待機切断条件と、前記無線通信接続を、前記切断指示受付部が前記切断指示を受け付けるのを待たずに切断する非待機切断条件とが含まれ、
前記制御部は、
前記データに基づく処理にエラーが発生した場合、解消可能なエラーが発生したか、解消不能なエラーが発生したかを判断するエラー判断処理を実行する構成を有し、
前記条件選択処理では、前記解消可能なエラーと判断した場合、前記待機切断条件を選択し、前記解消不能なエラーと判断した場合、前記非待機切断条件を選択する、無線通信装置。
【請求項１０】
請求項７から９のいずれか一項に記載の無線通信装置であって、
切断待機の有無および切断指示を受け付ける切断待機受付部を備え、
前記複数の切断条件には、前記無線通信接続を、前記切断待機受付部が前記切断指示を受け付けるのを待って切断する待機切断条件と、前記無線通信接続を、前記切断待機受付部が前記切断指示を受け付けるのを待たずに切断する非待機切断条件とが含まれ、
前記制御部は、
前記条件選択処理では、前記切替待機受付部が前記切断待機有りを受け付けたか、前記切断待機無しを受け付けたかを判断し、前記切断待機有りを受け付けたと判断した場合に前記待機切断条件を選択し、前記切断待機無しを受け付けたと判断した場合に前記非待機切断条件を選択する、無線通信装置。
【請求項１１】
請求項７から１０のいずれか一項に記載の無線通信装置であって、
前記インターフェース部は、アクセスポイントを経由する間接無線通信と、アクセスポイントを経由しない直接無線通信とを実行可能であり、
前記複数の切断条件には、短期切断条件と、当該短期切断条件よりも前記データの送信完了時から切断するまでの時間が長い長期切断条件とが含まれ、
前記制御部は、
前記条件選択処理では、前記データを前記間接無線通信で送信する場合に前記長期切断条件を選択し、前記データを前記直接無線通信で送信する場合に前記短期切断条件を選択する、無線通信装置。
【請求項１２】
外部機器との間で無線通信を実行するためのインターフェース部を有する無線通信装置に、
前記インターフェース部を介して、データを、前記外部装置に送信するデータ送信処理と、
前記インターフェース部による無線通信接続を前記データの送信完了時以降に切断するための条件が互いに異なる複数の切断条件の中からいずれかを選択する条件選択部と、
前記条件選択部が選択した切断条件を満たすかを判断し、満たすと判断した場合に、前記無線通信接続を切断する
通信切断処理と、を実行させる通信制御プログラム。
【発明の詳細な説明】
【技術分野】
【０００１】
複数の通信装置間で無線通信を行うための技術に関する。
【背景技術】
【０００２】
従来から、データを送信する側の無線通信装置であるイニシエータと、データを受信する側の無線通信装置であるターゲットとから構成される無線通信システムがある（特許文献１参照）。この無線通信システムでは、イニシエータは、ターゲットとの間でＢｌｕｅｔｏｏｔｈ（登録商標）による無線通信の接続を確立し、ターゲットへのデータの送信を完了した後、その無線通信処理を終了する。
【先行技術文献】
【特許文献】
【０００３】
【特許文献１】特開２０１０−１７８００２号公報
【発明の概要】
【発明が解決しようとする課題】
【０００４】
ところで、上記無線通信システムにおいて、例えば、イニシエータが上記データの送信を完了した後、即座に、無線通信の接続を切断する構成とすると、イニシエータは、例えばターゲットでの上記データの受信エラー通知等を、ターゲットから受信できない等の不都合が生じ得る。一方、イニシエータがデータの送信を完了しても、長時間、無線通信の接続を切断しない構成とすると、例えば無線通信が実行されないまま無線通信の接続維持のために電力が無駄に消費される等の不都合が生じ得る。即ち、無線通信の接続をデータの送信完了時以降に常に同じ条件で切断する構成では、無線通信の利便性が低い。
【０００５】
本明細書では、無線通信接続をデータの送信完了時以降に常に同じ条件で切断する構成に比べて、無線通信の利便性を向上させることが可能な技術を開示する。
【課題を解決するための手段】
【０００６】
本明細書によって開示される無線通信システムは、第１の通信装置と第２の通信装置とを備える無線通信システムであって、前記第１の通信装置と前記第２の通信装置との間で無線通信を実行するためのインターフェース部と、を備え、前記第１の通信装置から、前記インターフェース部を介して、データを、前記第２の通信装置に送信するデータ送信部と、前記インターフェース部による無線通信接続を前記データの送信完了時以降に切断するための条件が互いに異なる複数の切断条件の中からいずれかを選択する条件選択部と、前記条件選択部が選択した切断条件を満たすかを判断し、満たすと判断した場合に、前記無線通信接続を切断する通信切断処理部と、から構成される。
【０００７】
この無線通信システムは、インターフェース部による無線通信接続をデータの送信完了時以降に切断するための条件が互いに異なる複数の切断条件の中からいずれかを選択し、その選択した切断条件を満たすと判断した場合に、無線通信接続を切断する。即ち、この無線通信システムによれば、複数の切断条件のいずれを選択するかによって、無線通信接続を異なる条件で切断することができる。これにより、無線通信接続をデータの送信完了時以降に常に同じ条件で切断する構成に比べて、無線通信の利便性を向上させることができる。
【０００８】
無線通信システムでは、前記第２の通信装置は、前記データに基づく処理を実行する処理実行部を有し、前記複数の切断条件には、短期切断条件と、当該短期切断条件よりも前記データの送信完了時から切断するまでの時間が長い長期切断条件とが含まれ、前記条件選択部は、前記データ、前記無線通信および前記第２の通信装置の少なくともいずれか１つに関する情報に基づき、前記データに基づく処理にエラーが発生する可能性の有無を判断し、前記エラーが発生する可能性が無いと判断した場合に前記短期切断条件を選択し、前記エラーが発生する可能性が有ると判断した場合に前記長期切断条件を選択してもよい。
【０００９】
この無線通信システムは、データに基づく処理にエラーが発生する可能性の有無を判断し、その可能性が有ると判断した場合に短期切断条件を選択し、その可能性が無いと判断した場合に、上記短期切断条件よりも前記データの送信完了時から切断するまでの時間が長い長期切断条件を選択する。これにより、対象データに基づく処理にエラーが発生する可能性が有ると判断した場合、その可能性が無いと判断した場合に比べて、データの送信完了時から長い時間経過後に、無線通信接続が切断される。このため、データに基づく処理にエラーが発生したことに関する情報を、第１の通信装置が受信できない事態が発生することを抑制することができる。
【００１０】
上記無線通信システムでは、切断指示を受け付ける切断指示受付部と、前記第２の通信装置において、前記データに基づく処理にエラーが発生した場合、解消可能なエラーが発生したか、解消不能なエラーが発生したかを判断するエラー判断部と、を備え、前記複数の切断条件には、前記無線通信接続を、前記切断指示受付部が前記切断指示を受け付けるのを待って切断する待機切断条件と、前記無線通信接続を、前記切断指示受付部が前記切断指示を受け付けるのを待たずに切断する非待機切断条件とが含まれ、前記条件選択部は、前記エラー判断部が解消可能なエラーと判断した場合、前記待機切断条件を選択し、前記解消不能なエラーと判断した場合、前記非待機切断条件を選択する。
【００１１】
この無線通信システムは、解消可能なエラーが発生したと判断した場合、切断指示受付部が切断指示を受け付けるのを待って無線通信接続を切断し、解消不能なエラーが発生したと判断した場合、切断指示受付部が切断指示を受け付けるのを待たずに無線通信接続を切断する。これにより、解消可能なエラーが発生した場合には、無線通信接続の維持の余地を残して無線通信の再接続の手間を軽減し、解消不能なエラー状態になった場合には、無線通信接続を比較的早期に切断して無駄な電力消費を抑制することができる。
【００１２】
上記無線通信システムでは、切断待機の有無および切断指示を受け付ける切断待機受付部を備え、前記複数の切断条件には、前記無線通信接続を、前記切断待機受付部が前記切断指示を受け付けるのを待って切断する待機切断条件と、前記無線通信接続を、前記切断待機受付部が前記切断指示を受け付けるのを待たずに切断する非待機切断条件とが含まれ、前記条件選択部は、前記切替待機受付部が前記切断待機有りを受け付けたか、前記切断待機無しを受け付けたかを判断し、前記切断待機有りを受け付けたと判断した場合に前記待機切断条件を選択し、前記切断待機無しを受け付けたと判断した場合に前記非待機切断条件を選択してもよい。
【００１３】
この無線通信システムは、切断待機有りを受け付けたか、切断待機無しを受け付けたかを判断し、切断待機有りを受け付けたと判断した場合に待機切断条件を選択し、切断待機無しを受け付けたと判断した場合に非待機切断条件を選択する。これにより、ユーザに意思に応じて無線通信接続の切断タイミングを決定することができる。
【００１４】
上記無線通信システムでは、前記インターフェース部は、アクセスポイントを経由する間接無線通信と、アクセスポイントを経由しない直接無線通信とを実行可能であり、前記複数の切断条件には、短期切断条件と、当該短期切断条件よりも前記データの送信完了時から切断するまでの時間が長い長期切断条件とが含まれ、前記条件選択部は、前記データを前記間接無線通信で送信する場合に前記長期切断条件を選択し、前記データを前記直接無線通信で送信する場合に前記短期切断条件を選択してもよい。
【００１５】
一般に、直接無線通信では、１対１の無線装置間でのみ独占的に無線通信が可能であり、その無線通信の接続を切断しない限り、別の無線装置は無線通信を行うことができない。これに対し、間接無線通信では、１対多の無線装置間で無線通信が可能である。そこで、この無線通信システムは、データを間接無線通信で送信する場合に長期切断条件を選択し、データを直接無線通信で送信する場合に短期切断条件を選択する。これにより、データを間接無線通信で送信する場合、無線通信接続を極力維持し、データを直接無線通信で送信する場合、当該データの送信後、早期に無線通信の接続を切断して、他の無線装置に開放することができる。
【００１６】
上記無線通信システムでは、前記インターフェース部である第１のインターフェース部と、前記第１のインターフェース部よりも通信可能距離が短い第２のインターフェース部と、を備え、前記第１の通信装置から、前記第２のインターフェース部を介して、前記第１のインターフェースによる無線通信の接続を確立するための設定情報を、前記第２の通信装置に送信し、前記第１のインターフェース部による無線通信の接続を確立する通信確立部を有してもよい。
【００１７】
この無線通信システムは、第１の通信装置から、第２のインターフェース部を介して、第１のインターフェースによる無線通信の接続を確立するための設定情報を、第２の通信装置に送信し、第１のインターフェース部による無線通信の接続を確立する。これにより、ユーザ自身が上記設定情報を入力する構成に比べて、第１のインターフェース部による無線通信の接続を効率良く確立させることができる。
【００１８】
なお、この発明は、無線通信システム、無線通信装置、無線通信切断方法、これらの方法または装置の機能を実現するためのコンピュータプログラム、そのコンピュータプログラムを記録した記録媒体等の種々の態様で実現することができる。
【発明の効果】
【００１９】
本明細書によって開示される発明によれば、無線通信接続をデータの送信完了時以降に常に同じ条件で切断する構成に比べて、無線通信の利便性を向上させることが可能である。
【図面の簡単な説明】
【００２０】
【図１】実施形態１の無線通信システムを示すブロック図
【図２】携帯端末処理を示すフローチャート
【図３】ＭＦＰ処理を示すフローチャート
【図４】接続継続要求が有る場合と無い場合のシーケンス図
【図５】解消不能エラー発生時と解消可能エラー発生時のシーケンス図
【図６】実施形態２の携帯端末処理を示すフローチャート
【図７】ＭＦＰ処理を示すフローチャート
【発明を実施するための形態】
【００２１】
＜実施形態１＞
実施形態１について図１〜図５を参照しつつ説明する。図１に示すように、本実施形態の無線通信システム１は、携帯端末１０と、多機能機（以下、ＭＦＰ（Multi Function Peripheralの略））２０と、アクセスポイント（以下では「ＡＰ」と呼ぶ）３０とを備える。
【００２２】
（携帯端末の構成）
携帯端末１０は、第１の通信装置の一例であり、例えば、携帯電話（例えばスマートフォン）、ＰＤＡ、ノートＰＣ、タブレットＰＣ、携帯型音楽再生装置、携帯型動画再生装置等である。携帯端末１０は、端末制御部１１、無線ＬＡＮインターフェース１２、ＮＦＣインターフェース１３、操作部１４、および、表示部１５を備える。
【００２３】
端末制御部１１は、中央処理装置（以下、ＣＰＵ）１１Ａおよびメモリ１１Ｂを有する。メモリ１１Ｂは、例えばＲＯＭやＲＡＭ等を有し、ＲＯＭには、ＯＳ、印刷データを作成可能なアプリケーションソフト、ＭＦＰ２０を制御するためのプリンタドライバ、ＭＦＰ２０からの読取データを処理可能なアプリケーションソフトや、後述する携帯端末処理（通信制御プログラムの一例）を実行するためのプログラムなど、各種のプログラムが記憶されている。ＣＰＵ１１Ａは、ＲＯＭから読み出したプログラムに従って、携帯端末１０の各部を制御する。なお、上記各種のプログラムが記憶される記憶媒体は、ＲＯＭやＲＡＭ以外に、ＣＤ−ＲＯＭ、ハードディスク装置、フラッシュメモリ（登録商標）などの不揮発性メモリでもよい。
【００２４】
無線ＬＡＮインターフェース１２は、インターフェース部、第１インターフェース部の一例であり、端末制御部１１が、Ｗｉ−Ｆｉ  Ｄｉｒｅｃｔの方式（以下、ＷＦＤ方式）に従った無線通信と、通常Ｗｉ−Ｆｉに従った無線通信と、を実行するためのインターフェースである。ＷＦＤ方式では、ＩＥＥＥ（The Institute of Electrical and Electronics Engineers, Inc.）の８０２．１１の規格、及び、それに準ずる規格（例えば８０２．１１ａ，１１ｂ，１１ｇ，１１ｎ等）に基づいて、無線通信が実行される。また、ＷＦＤ方式に従った無線通信は、ＡＰ３０を利用しない直接無線通信であり、１対１の無線装置間でのみ独占的に無線通信が可能であり、その無線通信の接続を切断しない限り、別の無線装置とは無線通信に行うことができない。通常Ｗｉ−Ｆｉに従った無線通信は、ＡＰ３０を利用する間接無線通信であり、１対多の無線装置間で無線通信が可能である。
【００２５】
ＮＦＣインターフェース１３は、インターフェース部、第２インターフェース部の一例であり、端末制御部１１が、ＮＦＣ（Near Field Communicationの略）方式に従って近距離無線通信を実行するためのインターフェースである。なお、ＮＦＣ方式の無線通信は、ＩＳＯ／ＩＥＣ２１４８１又はＩＳＯ／ＩＥＣ１８０９２の国際標準規格に基づいて実行される。また、ＮＦＣ方式とＷｉ−Ｆｉ方式とは、無線通信方式が異なり、Ｗｉ−Ｆｉ方式の無線通信の通信速度は、ＮＦＣ方式の無線通信の通信速度よりも速い。また、Ｗｉ−Ｆｉ方式の無線通信の通信可能距離は、ＮＦＣ方式の無線通信の通信可能距離よりも長い。
【００２６】
操作部１４は、複数のボタンを有し、ユーザにより各種の入力操作が可能である。表示部１５は、液晶ディスプレイやランプ等を有し、各種の設定画面や装置の動作状態等を表示することが可能である。
【００２７】
（ＭＦＰの構成）
ＭＦＰ２０は、第２の通信装置の一例であり、ＭＦＰ制御部２１、無線ＬＡＮインターフェース２２、ＮＦＣインターフェース２３、操作部２４、表示部２５、印刷実行部２６、および、読取実行部２７を備える。
【００２８】
ＭＦＰ制御部２１は、ＣＰＵ２１Ａおよびメモリ２１Ｂを有する。メモリ２１Ｂは、例えばＲＯＭやＲＡＭ等を有し、ＲＯＭには、後述するＭＦＰ処理を実行するためのプログラムや、この印刷実行部２６や読取実行部２７の各種の動作を実行するためのプログラム等が記憶されている。ＣＰＵ２１Ａは、ＲＯＭから読み出したプログラムに従って、ＭＦＰ２０の各部を制御する。なお、上記各種のプログラムが記憶される媒体は、ＲＯＭやＲＡＭ以外に、ＣＤ−ＲＯＭ、ハードディスク装置、フラッシュメモリなどの不揮発性メモリでもよい。
【００２９】
無線ＬＡＮインターフェース２２は、インターフェース部、第１インターフェース部の一例であり、ＭＦＰ制御部２１が、ＷＦＤ方式に従った無線通信と、通常Ｗｉ−Ｆｉに従った無線通信とを実行するためのインターフェースである。ＮＦＣインターフェース２３は、インターフェース部、第２インターフェース部の一例であり、ＭＦＰ制御部２１が、ＮＦＣ方式に従って近距離無線通信を実行するためのインターフェースである。
【００３０】
操作部２４は、複数のボタンを有し、ユーザにより各種の入力操作が可能である。表示部２５は、液晶ディスプレイやランプ等を有し、各種の設定画面や装置の動作状態等を表示することが可能である。印刷実行部２６は、処理実行部の一例であり、インクジェット方式、電子写真方式等の印刷機構であり、携帯端末１０から受信した印刷データに基づく画像を、図示しない印刷用シート上に印刷する。読取実行部２７は、ＣＣＤ（Charge Coupled Drive Image Sensor）、ＣＩＳ（Contact Image Sensor）等の読取デバイスを有し、図示しない原稿シート上の画像を読み取る。
【００３１】
（携帯端末処理）
携帯端末１０のユーザは、操作部１４により、アプリケーションプログラムを起動させ、ＭＦＰ２０に印刷機能又はスキャン機能を実行させるための指示を入力することができる。以下、印刷機能の実行指示が入力された場合を例に挙げて説明する。なお、ＭＦＰ２０が電源ＯＮにされている間、ＮＦＣインターフェース２３は、検出電波を発することでＮＦＣ方式の無線通信を実行可能なデバイスを検出する状態となっている。
【００３２】
ユーザが、上記印刷機能の実行指示を入力した後、携帯端末１０をＭＦＰ２０に近づけて、携帯端末１０とＭＦＰ２０との間の距離が、互いに電波が届く距離（例えば１０ｃｍ）より短くなると、ＮＦＣインターフェース１３は、ＭＦＰ２０から検出電波を受信して、応答電波をＭＦＰ２０に送信する。その後、端末制御部１１は、携帯端末１０とＭＦＰ２０との間にＮＦＣ通信接続（ＮＦＣ通信セッション）が確立させるための通信を、ＮＦＣインターフェース１３，２３を介して、ＭＦＰ２０のＭＦＰ制御部２１との間で実行する。
【００３３】
端末制御部１１は、ＮＦＣ通信接続が確立されると、図２に示す携帯端末処理を開始し、ＭＦＰ２０との間でＮＦＣ通信を開始する（Ｓ１）。端末制御部１１は、ＮＦＣ通信により、Ｗｉ−Ｆｉ接続要求をＭＦＰ２０に送信する（Ｓ２）。このとき端末制御部１１は通信確立部として機能する。なお、このＷｉ−Ｆｉ接続要求には、Ｗｉ−Ｆｉ通信接続（Ｗｉ−Ｆｉ通信セッション）を確立するためのＷｉ−Ｆｉ接続情報（設定情報の一例）が含まれる。このＷｉ−Ｆｉ接続情報には、例えば通信方式、認証方式、暗号化方式、無線ネットワークを識別するための識別子であるＳＳＩＤ（Service Set Identifier）や、無線ネットワークを構築するアクセス先の固有の識別子であるＢＳＳＩＤ（Basic Service Set Identifier）等が含まれる。以下の説明では、通信方式には、ＷＦＤ方式および通常Ｗｉ−Ｆｉ方式のいずれかが設定されるものとする。
【００３４】
端末制御部１１は、上記Ｗｉ−Ｆｉ接続要求を送信後、それに対するＷｉ−Ｆｉ接続応答を、ＭＦＰ２０から受信したかどうかを判断し（Ｓ３）、当該Ｗｉ−Ｆｉ接続応答を受信していないと判断した場合（Ｓ３：ＮＯ）、待機し、Ｗｉ−Ｆｉ接続応答を受信したと判断した場合（Ｓ３：ＹＥＳ）、携帯端末１０とＭＦＰ２０との間でＷｉ−Ｆｉ通信接続が確立する。これにより、ユーザ自身が上記Ｗｉ−Ｆｉ接続情報をＭＦＰ２０に手入力する構成に比べて、Ｗｉ−Ｆｉ通信接続を効率良く確立させることができる。そして、端末制御部１１は、Ｗｉ−Ｆｉ通信により、上記印刷機能の実行指示に基づき印刷ジョブをＭＦＰ２０に送信するデータ送信処理を開始する（Ｓ４）。このとき端末制御部１１はデータ送信部として機能する。
【００３５】
印刷ジョブには、印刷データおよび処理情報が含まれている。印刷データは、データの一例であり、上記印刷機能の処理対象である画像データである。また、処理情報には、ユーザおよび携帯端末の少なくとも一方の識別情報、データに関する情報や、処理条件情報が含まれる。データに関する情報には、例えば印刷データのデータ量、印刷枚数等が含まれる。処理条件情報には、例えば印刷用シートの種類（厚紙、普通紙等）、印刷方式（片面印刷、両面印刷、１枚に複数頁印刷（Ｎｉｎ１印刷ともいう）等）など、各種の印刷条件が含まれる。
【００３６】
端末制御部１１は、印刷ジョブの送信を開始した後、後述する接続継続要求または通常応答を、ＭＦＰ２０から受信したかどうかを判断し（Ｓ５）、受信しないと判断した場合（Ｓ５：ＮＯ）、待機し、受信したと判断した場合（Ｓ５：ＹＥＳ）、受信した接続継続要求または通常応答をメモリ１１Ｂに記憶する。そして、端末制御部１１は、印刷ジョブの送信を完了したかどうかを判断し（Ｓ６）、完了していないと判断した場合（Ｓ６：ＮＯ）、待機し、完了したと判断した場合（Ｓ６：ＹＥＳ）、ＭＦＰ２０から接続継続要求を受信したかどうかを判断する（Ｓ７）。具体的には、端末制御部１１は、上記メモリ１１Ｂに接続継続要求が記憶されている場合に接続継続要求を受信したと判断し（Ｓ７：ＹＥＳ）、通常応答が記憶されている場合に接続継続要求を受信していないと判断する（Ｓ７：ＮＯ）。
【００３７】
端末制御部１１は、接続継続要求を受信したと判断した場合（Ｓ７：ＹＥＳ）、後述する印刷完了通知、印刷制限通知あるいは印刷異常通知を、ＭＦＰ２０から受信するまで待機する（Ｓ８：ＮＯ且つＳ１０：ＮＯ）。一方、印刷完了通知または印刷制限通知を受信したと判断した場合（Ｓ８：ＹＥＳ）、ＭＦＰ２０とのＷｉ−Ｆｉ通信接続を切断し（Ｓ９）、本携帯端末処理を終了する。このときの切断条件は、印刷ジョブの送信完了時から、印刷完了通知または印刷制限通知を受信するまで待ってＷｉ−Ｆｉ通信接続を切断することであり、長期切断条件の一例である。
【００３８】
一方、端末制御部１１は、接続継続要求を受信していないと判断した場合（Ｓ７：ＮＯ）、印刷完了通知および印刷制限通知の受信を待たずに、印刷ジョブの送信完了後、即時に、ＭＦＰ２０とのＷｉ−Ｆｉ通信接続を切断し（Ｓ９）、本携帯端末処理を終了する。このときの切断条件は、印刷ジョブの送信完了時から、印刷完了通知または印刷制限通知を受信するのを待たずにＷｉ−Ｆｉ通信接続を切断することであり、短期切断条件の一例である。なお、この場合、Ｓ９の処理は通信切断処理の一例であり、端末制御部１１は通信切断部として機能する。
【００３９】
また、端末制御部１１は、接続継続要求を受信したと判断した場合（Ｓ７：ＹＥＳ）において、印刷完了通知および印刷制限通知ではなく、後述する印刷異常通知を、ＭＦＰ２０から受信したと判断した場合（Ｓ８：ＮＯ且つＳ１０：ＹＥＳ）、ＭＦＰ２０から後述する印刷再開通知（図３のＳ３５参照）を受信したかどうかを判断する（Ｓ１１）。端末制御部１１は、印刷再開通知を受信したと判断した場合（Ｓ１１：ＹＥＳ）、印刷再開後に、ＭＦＰ２０から印刷完了通知等を受信できるようにするため、Ｗｉ−Ｆｉ通信接続を維持しつつＳ８に戻る。
【００４０】
例えば印刷異常エラーを解消するのに時間がかかったり、解消できない場合には、ＭＦＰ２０から印刷再開通知が送信されない。この場合、端末制御部１１は、印刷再開通知を受信していないと判断し（Ｓ１１：ＮＯ）、操作部１４がユーザによるＷｉ−Ｆｉ通信接続の切断指示を受け付けたかどうかを判断する（Ｓ１２）。なお、操作部１４は切断指示受付部の一例である。そして、端末制御部１１は、切断指示を受け付けていないと判断した場合（Ｓ１２：ＮＯ）、Ｗｉ−Ｆｉ通信接続を維持しつつＳ１１に戻り、切断指示を受け付けたと判断した場合（Ｓ１２：ＹＥＳ）、ＭＦＰ２０とのＷｉ−Ｆｉ通信接続を切断し（Ｓ９）、本携帯端末処理を終了する。これにより、印刷再開通知を受信されなくても、ユーザの意思でＷｉ−Ｆｉ通信接続を切断するかを決定することができる。
【００４１】
即ち、端末制御部１１は、印刷制限通知を受信した場合（Ｓ８：ＹＥＳ）、換言すれば、ＭＦＰで解消不能なエラーが発生した場合（後述するＳ３０：ＹＥＳ）、ユーザによる切断指示を待たずにＷｉ−Ｆｉ通信接続を切断する。このときの切断条件は、ユーザによる切断指示を待たずにＷｉ−Ｆｉ通信接続を切断することであり、非待機切断条件の一例である。
【００４２】
一方、印刷異常通知を受信した場合（Ｓ１０：ＹＥＳ）、換言すれば、ＭＦＰで解消可能なエラーが発生した場合（後述するＳ３２：ＹＥＳ）、ユーザによる切断指示を待ってＷｉ−Ｆｉ通信接続を切断する。このときの切断条件は、ユーザによる切断指示を待ってＷｉ−Ｆｉ通信接続を切断することであり、待機切断条件の一例である。なお、この場合、Ｓ８、Ｓ１０の処理は条件選択処理の一例であり、Ｓ９，Ｓ１１の処理は通信切断処理の一例であり、端末制御部１１は条件選択部および通信切断部として機能する。
【００４３】
（ＭＦＰ処理）
上述したようにユーザが携帯端末１０をＭＦＰ２０に近づけて、ＮＦＣインターフェース２３が上記応答電波を携帯端末１０から受信し、ＭＦＰ制御部２１が、携帯端末１０とＭＦＰ２０との間にＮＦＣ通信接続（ＮＦＣ通信セッション）が確立させるための通信を実行すると、ＭＦＰ制御部２１は、図３に示すＭＦＰ処理を実行する。
【００４４】
ＭＦＰ制御部２１は、上記Ｗｉ−Ｆｉ接続要求を携帯端末１０から受信していないと判断した場合（Ｓ２１：ＮＯ）、待機し、Ｗｉ−Ｆｉ接続要求を受信したと判断した場合（Ｓ２１：ＹＥＳ）、ＮＦＣ通信により、Ｗｉ−Ｆｉ接続応答を、携帯端末１０に送信し（Ｓ２２）、携帯端末１０からの上記印刷ジョブの受信を開始する（Ｓ２３）。Ｓ２３の処理は、データ受信処理の一例である。
【００４５】
次に、ＭＦＰ制御部２１は、携帯端末１０において印刷ジョブの送信完了時以降における上記Ｗｉ−Ｆｉ通信の接続継続の必要の有無を判断する（Ｓ２４）。ＭＦＰ制御部２１は、この判断を、上述した印刷ジョブに含まれる処理情報、ＭＦＰに関する情報、Ｗｉ−Ｆｉ接続要求の少なくともいずれか１つを利用して行う。このＳ２４の処理は条件選択処理の一例であり、このときＭＦＰ制御部２１は、条件選択部として機能する。具体的に、ＭＦＰ制御部２１は、次に示す複数の判断要素のうち２つ以上の判断要素を利用する場合、少なくとも１つの判断要素による判断結果が接続継続必要有りであれば、接続継続の必要有りと判断することが好ましい。
【００４６】
［ユーザ等の識別情報を利用する場合］
印刷ジョブに含まれる処理情報を利用する一例である。メモリ２１Ｂには、予めＭＦＰ２０の印刷機能を使用する権限を有するユーザおよび携帯端末の少なくとも一方の識別情報が参照用識別情報として記憶されている。ＭＦＰ制御部２１は、現在受信した印刷ジョブに含まれる識別情報が参照用識別情報に合致しないと判断した場合、接続継続の必要有りと判断する。この場合、ＭＦＰ制御部２１は、印刷制限エラーを携帯端末１０に通知する必要があるからである（Ｓ３１参照）。
【００４７】
なお、印刷制限エラーは、現在受信した印刷データに基づく処理が禁止され、且つ、その禁止状態を解消できない解消不能エラーである。例えば、ユーザＡがカラー印刷の権限を有しないが、カラーの印刷データをＭＦＰ２０に送信した場合、ＭＦＰ２０が該印刷データの印刷処理を禁止する。したがって、該ＭＦＰ２０を使用する限り該禁止状態が解消されない。一方、ＭＦＰ制御部２１は、現在受信した識別情報が参照用識別情報に合致すると判断した場合、上記印刷制限エラーを通知する必要がないため、接続継続の必要無しと判断する。
【００４８】
［データに関する情報を利用する場合］
印刷ジョブに含まれる処理情報を利用する一例である。ＭＦＰ制御部２１は、受信した印刷ジョブのデータ量や印刷枚数が規定値以上であると判断した場合、接続継続の必要有りと判断する。この場合、印刷途中で印刷用シートや着色剤等の消耗品または交換品が無くなる印刷異常エラーが発生する可能性が高く、ＭＦＰ制御部２１は、その印刷異常エラーを携帯端末１０に通知する可能性が高いからである（Ｓ３３参照）。なお、印刷異常エラーは、印刷用シートや着色剤の補充等により、印刷データに基づく処理の禁止状態を解消できる解消可能エラーである。一方、ＭＦＰ制御部２１は、印刷のデータ量等が規定値未満であると判断した場合、上記印刷異常エラーを通知する可能性が低いため、接続継続の必要無しと判断する。
【００４９】
［処理条件情報を利用する場合］
印刷ジョブに含まれる処理情報を利用する一例である。ＭＦＰ制御部２１は、受信した印刷ジョブの印刷用シートの種類が厚紙や特殊サイズであったり、印刷方式が両面印刷やＮｉｎ１印刷であると判断した場合、シート詰まりや、重送等の搬送エラーが発生する可能性がある、あるいは高いと判断した場合、接続継続の必要有りと判断する。この場合、ＭＦＰ制御部２１は、シート詰まり等のエラーを携帯端末１０に通知する可能性が高いからである（Ｓ３３参照）。
【００５０】
なお、当該搬送エラーは、詰まった印刷用シートを取り除くなどして、印刷データに基づく処理の禁止状態を解消できる解消可能エラーである。一方、ＭＦＰ制御部２１は、印刷用シートの種類が普通紙や定型サイズであったり、印刷方式が片面印刷である場合、シート詰まり等の搬送エラーが発生する可能性が無い、あるいは低いと判断した場合、上記印刷異常エラーを通知する可能性が低いため、接続継続の必要無しと判断する。
【００５１】
［ＭＦＰに関する情報を利用する場合］
ＭＦＰ制御部２１は、ＭＦＰ２０の状態に基づきエラーが発生する可能性の有無を判断する。ＭＦＰ制御部２１は、例えばＭＦＰ２０における印刷用シートや着色剤の残量が規定量以下である状態で印刷ジョブを受信したと判断した場合、接続継続の必要有りと判断する。この場合、該印刷ジョブの印刷途中で印刷用シートや着色剤が無くなる印刷異常エラーが発生する可能性が高いため、ＭＦＰ制御部２１は、その印刷異常エラーを携帯端末１０に通知する可能性が高いからである（Ｓ３３参照）。なお、前述のように、該印刷異常エラーも解消可能エラーである。一方、ＭＦＰ制御部２１は、印刷用シート等の残量が規定量を超える状態で印刷ジョブを受信したと判断した場合、上記印刷異常エラーを通知する可能性が低いため、接続継続の必要無しと判断する。
【００５２】
［Ｗｉ−Ｆｉ接続要求を利用する場合］
ＭＦＰ制御部２１は、Ｗｉ−Ｆｉ接続要求において通常Ｗｉ−Ｆｉ方式で印刷ジョブを受信したと判断した場合、接続継続の必要有りと判断する。前述したように、通常Ｗｉ−Ｆｉ方式では、通常Ｗｉ−Ｆｉ通信の接続を継続しても、携帯端末１０がＭＦＰとの無線通信を独占することはなく、接続を継続してもほかの携帯端末１０との無線通信に影響が少ないからである。また、接続を継続することで、印刷途中にエラーなどがあっても、すぐにユーザに通知することができる。一方、ＭＦＰ制御部２１は、Ｗｉ−Ｆｉ接続要求においてＷＦＤ方式で印刷ジョブを受信したと判断した場合、接続継続の必要無しと判断する。ＷＦＤ方式では、ＷＦＤ通信の接続を切断しない限り、携帯端末１０がＭＦＰ２０との無線通信を独占してしまうため、早期に切断して他の通信装置がＭＦＰ２０と無線通信を行うことを可能とするためである。
【００５３】
以上のように、ＭＦＰ制御部２１は、すくなくとも１つの判断要素による判断結果に基づいて接続継続の必要有りと判断した場合（Ｓ２４：ＹＥＳ）、Ｗｉ−Ｆｉ通信により、接続継続要求（選択結果に応じた情報の一例）を携帯端末１０に送信し（Ｓ２５）、受信した印刷データに基づき印刷を開始する（Ｓ２７）。一方、ＭＦＰ制御部２１は、接続継続の必要無しと判断した場合（Ｓ２４：ＮＯ）、Ｗｉ−Ｆｉ通信により、通常応答（選択結果に応じた情報の一例）を携帯端末１０に送信し（Ｓ２６）、Ｓ２７に進む。ＭＦＰ制御部２１は、Ｓ２７で開始した印刷が正常に完了したと判断した場合（Ｓ２８：ＹＥＳ）、Ｗｉ−Ｆｉ通信により、印刷完了通知を携帯端末１０に送信し（Ｓ２９）、本ＭＦＰ処理を終了する。なお、Ｓ２５，Ｓ２６の処理は、選択情報送信処理の一例である。
【００５４】
ＭＦＰ制御部２１は、印刷が完了していなく、上記印刷制限エラーが発生したと判断した場合（Ｓ２８：ＮＯ且つＳ３０：ＹＥＳ）、Ｗｉ−Ｆｉ通信により、印刷制限通知を携帯端末１０に送信し（Ｓ３１）、本ＭＦＰ処理を終了する。ＭＦＰ制御部２１は、印刷が完了していなく、かつ印刷制限エラーが発生していなく、上記印刷異常エラーが発生したと判断した場合（Ｓ２８、Ｓ３０：ＮＯ且つＳ３２：ＹＥＳ）、Ｗｉ−Ｆｉ通信により、印刷異常通知を携帯端末１０に送信する（Ｓ３３）。その後、ＭＦＰ制御部２１は、ユーザにより印刷異常エラーが解消されていないと判断した場合（Ｓ３４：ＮＯ）、印刷異常エラーが解消されたと判断した場合（Ｓ３４：ＹＥＳ）、印刷を再開し、その印刷再開通知をＷｉ−Ｆｉ通信により携帯端末１０に送信し（Ｓ３５）、Ｓ２８に戻る。なお、Ｓ３０，Ｓ３２の処理はエラー判断処理の一例であり、このときＭＦＰ制御部２１はエラー判断部として機能する。
【００５５】
（接続継続要求が有る場合と無い場合のシーケンス）
図４には、ＭＦＰ２０が接続継続要求を送信し（Ｓ２５）、携帯端末１０がその接続継続要求を受信した場合（Ｓ５）のシーケンスが示されている。この場合、携帯端末１０は、印刷ジョブの送信完了後（Ｓ６：ＹＥＳ）、長期切断条件として、ＭＦＰ２０から印刷完了通知を受信するまで待ってＷｉ−Ｆｉ通信接続を切断する（Ｓ８：ＹＥＳ，Ｓ９）。
【００５６】
また、同図には、ＭＦＰ２０が通常応答を送信し（Ｓ２６）、携帯端末１０がその通常応答を受信した場合（Ｓ５）のシーケンスも括弧書きで示されている。この場合、携帯端末１０は、印刷ジョブの送信完了後（Ｓ６：ＹＥＳ）、短期切断条件として、上記印刷完了通知を受信するまで待たずに即時にＷｉ−Ｆｉ通信接続を切断する（Ｓ９）。このように、印刷データに基づく処理にエラーが発生する可能性が高い場合（Ｓ２４：ＹＥＳ）、その可能性が低いと判断した場合（Ｓ２４：ＮＯ）に比べて、印刷データの送信完了時から長い時間経過後に、Ｗｉ−Ｆｉ通信接続が切断される。このため、印刷制限通知や印刷異常通知を、携帯端末１０が受信できない事態が発生することを抑制することができる。
【００５７】
（解消不能エラー発生時と解消可能エラー発生時のシーケンス）
図５には、ＭＦＰ２０で解消可能な印刷異常エラーが発生し（Ｓ３２：ＹＥＳ）、携帯端末１０が印刷異常通知を受信した場合（Ｓ１０：ＹＥＳ）のシーケンスが示されている。この場合、携帯端末１０は、印刷ジョブの送信完了後（Ｓ６：ＹＥＳ）、待機切断条件として、ユーザによる切断指示を受け付けるまで待ってＷｉ−Ｆｉ通信接続を切断する（Ｓ１２：ＹＥＳ，Ｓ９）。
【００５８】
また、同図には、ＭＦＰ２０で解消不能な印刷制限エラーが発生し（Ｓ３０：ＹＥＳ）、携帯端末１０が印刷制限通知を受信した場合（Ｓ８：ＹＥＳ）のシーケンスが括弧書きで示されている。この場合、携帯端末１０は、印刷ジョブの送信完了後（Ｓ６：ＹＥＳ）、非待機切断条件として、上記切断指示を受け付けるまで待たずに即時にＷｉ−Ｆｉ通信接続を切断する（Ｓ９）。これにより、解消可能なエラーが発生した場合には、Ｗｉ−Ｆｉ通信接続の維持の余地を残してＷｉ−Ｆｉ通信接続の再接続の手間を軽減し、解消不能なエラー状態になった場合には、Ｗｉ−Ｆｉ通信接続を比較的早期に切断して無駄な電力消費を抑制することができる。
【００５９】
（本実施形態の効果）
この無線通信システム１は、Ｗｉ−Ｆｉ通信接続をデータの送信完了時以降に切断するための条件が互いに異なる複数の切断条件の中からいずれかを選択し、その選択した切断条件を満たすと判断した場合に、Ｗｉ−Ｆｉ通信接続を切断する。即ち、この無線通信システム１によれば、複数の切断条件のいずれを選択するかによって、無線通信接続を異なる条件で切断することができる。これにより、Ｗｉ−Ｆｉ通信接続をデータの送信完了時以降に常に同じ条件で切断する構成に比べて、Ｗｉ−Ｆｉ通信接続の利便性を向上させることができる。
【００６０】
＜実施形態２＞
図６，７は実施形態２を示す。上記実施形態１との相違は、携帯端末処理およびＭＦＰ処理の内容にあり、その他の点は上記実施形態１と同様である。従って、実施形態１と同一符号を付して重複する説明を省略し、異なるところのみを次に説明する。
【００６１】
（携帯端末処理）
まず、ユーザは、予め操作部１４により、上記印刷機能等の実行指示に加えて、ユーザ切断設定の有無（切断待機の有無の一例）を入力することができる。このユーザ切断設定は、Ｗｉ−Ｆｉ通信接続の切断時期を、ユーザの切断指示により任意に決めることを可能にするための設定である。このとき、操作部１４は切断待機受付部として機能する。端末制御部１１は、ユーザ切断設定の有無の入力結果を、メモリ１１Ｂに記憶し、図６に示す携帯端末処理の開始後、Ｗｉ−Ｆｉ通信により、印刷ジョブをＭＦＰ２０に送信すると（Ｓ４）、図２におけるＳ５の処理を要することなく、印刷ジョブの送信を完了したかどうかを判断する（Ｓ６）。
【００６２】
端末制御部１１は、印刷ジョブの送信が完了したと判断した場合（Ｓ６：ＹＥＳ）、上記ユーザ切断設定の有無を判断する（Ｓ４１）。端末制御部１１は、メモリ１１Ｂを参照し、ユーザ切断設定有りと判断した場合（Ｓ４１：ＹＥＳ）、ユーザによる切断指示が有ったと判断した場合（Ｓ４２：ＹＥＳ）、Ｗｉ−Ｆｉ通信接続を切断し（Ｓ９）、本携帯端末処理を終了する。このときの切断条件は、印刷ジョブの送信完了時から、切断指示を待ってＷｉ−Ｆｉ通信接続を切断することであり、待機切断条件の一例である。
【００６３】
一方、端末制御部１１は、メモリ１１Ｂを参照し、ユーザ切断設定無しと判断した場合（Ｓ４１：ＮＯ）、ユーザによる切断指示の有無に関係なく、Ｗｉ−Ｆｉ通信接続を切断し（Ｓ９）、本携帯端末処理を終了する。このときの切断条件は、印刷ジョブの送信完了時から、切断指示を待たずにＷｉ−Ｆｉ通信接続を切断することであり、非待機切断条件の一例である。なお、この場合、Ｓ４１の処理は条件選択処理の一例であり、Ｓ４２の処理は通信切断処理の一例であり、端末制御部１１は条件選択部および通信切断部として機能する。
【００６４】
（ＭＦＰ処理）
ＭＦＰ制御部２１は、図７に示すＭＦＰ処理の開始後、印刷ジョブの受信を開始すると（Ｓ２３）、印刷処理を実行し（Ｓ５１）、本ＭＦＰ処理を終了する。なお、ＭＦＰ制御部２１は、前述した印刷完了通知、印刷制限通知や印刷異常通知を携帯端末１０側に送信してもよい。この場合、端末制御部１１は、これらの通知を受信の有無に関係なく、切断指示が有ったと判断した場合（Ｓ４２：ＹＥＳ）、Ｗｉ−Ｆｉ通信接続を切断する構成が好ましい。以上の構成により、ユーザに意思に応じてＷｉ−Ｆｉ通信接続の切断タイミングを決定することができる。
【００６５】
＜他の実施形態＞
本明細書で開示される技術は上記記述及び図面によって説明した実施形態に限定されるものではなく、例えば次のような種々の態様も含まれる。
「第１の通信装置」は、上記携帯端末１０に限られず、パーソナルコンピュータやサーバなどでもよい。
【００６６】
上記実施形態では、端末制御部１１およびＭＦＰ制御部２１は、ＣＰＵにより図２，３，６，７の各処理を実行する構成であった。しかし、これに限らず、端末制御部１１およびＭＦＰ制御部２１は、複数のＣＰＵにより図２，３，６，７の各処理を実行する構成、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路のみにより図２，３，６，７の各処理を実行する構成や、ＣＰＵおよびハード回路により図２，３，６，７の各処理を実行する構成でもよい。
【００６７】
上記無線ＬＡＮインターフェース１２，２２は、Ｗｉ−Ｆｉ  Ｄｉｒｅｃｔの方式（以下、ＷＦＤ方式）に従った無線通信および通常Ｗｉ−Ｆｉに従った無線通信のいずれか一方だけ実行可能な構成でもよい。また、「第１インターフェース部」は、Ｗｉ−Ｆｉ方式の無線通信以外に、ＮＦＣ方式の無線通信、赤外線通信、Ｂｌｕｅｔｏｏｔｈ（登録商標）、Ｔｒａｎｓｆｅｒ  Ｊｅｔなどを実行するためのインターフェースでもよい。
【００６８】
「第２インターフェース部」は、ＮＦＣ方式の無線通信以外に、赤外線通信、Ｂｌｕｅｔｏｏｔｈ（登録商標）、Ｔｒａｎｓｆｅｒ  Ｊｅｔなどを実行するためのインターフェースでもよい。
【００６９】
「第２の通信装置」は、印刷機能及びスキャン機能を実行可能なＭＦＰに限られず、印刷機能及びスキャン機能のうちの印刷機能のみを実行可能なプリンタ、スキャン機能のみを実行可能なスキャナでもよい。また、「第２の通信装置」は、印刷機能及びスキャン機能とは異なる機能や処理（例えば、画像の表示機能、データの演算機能、ファクシミリ機能）を実行する装置（例えば、ＰＣ、サーバ、携帯電話、スマートフォン等）でもよい。
【００７０】
「処理実行部」は、印刷実行部２６に限られず、データに基づく処理を実行するものであればよく、例えば、読取実行部２７や、画像の表示機能、データの演算機能等を実行するものでもよい。
【００７１】
「長期切断条件」は、印刷ジョブの送信完了時から、予め定めた時間経過時にＷｉ−Ｆｉ通信接続を切断する条件でもよい。
【００７２】
「短期切断条件」は、印刷ジョブの送信完了時に即時にＷｉ−Ｆｉ通信接続を切断する条件に限られず、印刷ジョブの送信完了時から、上記長期切断条件よりも短い時間経過時にＷｉ−Ｆｉ通信接続を切断する条件でもよい。
【００７３】
「切断指示受付部」は携帯端末１０の操作部１４に限られず、ＭＦＰ２０の操作部２４でもよい。
【００７４】
ＭＦＰ制御部２１は、Ｗｉ−Ｆｉ通信の接続継続の必要の有無の判断を、印刷ジョブの受信前（Ｓ２３の前）に行ってもよい。例えばＭＦＰ制御部２１は、上記処理情報だけを携帯端末１０から先に受信し、接続継続の必要の有無の判断を行った後に、印刷ジョブの受信を開始してもよい。この場合、ＭＦＰ制御部２１は、処理情報を、ＮＦＣ通信により受信してもよい。また、ＭＦＰ制御部２１は、接続継続の必要の有無の判断を、印刷開始（Ｓ２７）の後、印刷完了（Ｓ２８）の後に行う構成でもよい。更に、携帯端末１０の端末制御部１１が、接続継続の必要の有無の判断を行う構成でもよい。この場合、接続継続要求の送受信（Ｓ５，Ｓ２５）は不要になる。但し、ＭＦＰに関する情報だけは、ＭＦＰ２０から受信する必要がある。
【００７５】
上記実施形態において、ＭＦＰ制御部２１が、Ｓ２８，Ｓ３０，Ｓ３２の判断結果に基づき、Ｗｉ−Ｆｉ通信接続を切断する構成としてもよい。
【００７６】
上記携帯２において、ＭＦＰ２０の操作部２４にて、ユーザ切断設定の有無を受け付ける構成としてもよい。また、ＭＦＰ制御部２１が、例えばＳ２３の後に、上記Ｓ４１，Ｓ４２，Ｓ９に相当する処理を実行する構成でもよい。
【符号の説明】
【００７７】
１：無線通信システム  １０：携帯端末  １１：端末制御部  １２：無線ＬＡＮインターフェース  １３：ＮＦＣインターフェース  ２０：ＭＦＰ  ２２：無線ＬＡＮインターフェース  ２３：ＮＦＣインターフェース  ２１：ＭＦＰ制御部  ３０：アクセスポイント
【図１】
2014068303.tif 000003
【図２】
2014068303.tif 000004
【図３】
2014068303.tif 000005
【図４】
2014068303.tif 000006
【図５】
2014068303.tif 000007
【図６】
2014068303.tif 000008
【図７】
2014068303.tif 000009